(57)【要約】【課題】  本発明の課題は、夾雑物の存在下、目的の荷電物質を選択的に抽出又は濃縮する方法及びそのためのデバイスであって、マイクロ流体デバイス上で実施可能なものを提供することである。【解決手段】  導入口と排出口を有し該導入口と排出口との間にテーパー状部分を有する流路、該テーパー状部分を挟んで電圧を印加する電源装置及び該テーパー状部分を挟んで圧力を印加する装置を有する荷電物質を濃縮及び／又は抽出するデバイスであって、該テーパー状部分が、排出口側の第１幅を有する部分、第１幅から次第に狭くなり第２幅となる部分及び第２幅から第３幅に広がる部分からなる、該デバイス。【選択図】  図１
2005278418.tif 000002
【特許請求の範囲】
【請求項１】
導入口と排出口を有し、該導入口と排出口との間にテーパー状部分を有する流路からなる、荷電物質を濃縮及び／又は抽出するデバイスであって、該テーパー状部分を挟んで電圧及び圧力を印加可能であり、該テーパー状部分が、排出口側の第１幅を有する部分、第１幅から次第に狭くなり第２幅となる部分及び第２幅から第３幅に広がる部分からなる、該デバイス。
【請求項２】
第２幅に対する第１幅の比が３〜１００であり、第２幅に対する第３幅の比が３〜１００であり、第１幅から次第に狭くなり第２幅となる部分の流路長さの第２幅に対する比が１〜２００であり、第２幅から第３幅に広がる部分の流路長さの第２幅に対する比が０〜２０である請求項１記載のデバイス。
【請求項３】
テーパー状部分と排出口との間に枝分かれしたさらなる流路を有する、請求項１又は２記載のデバイス。
【請求項４】
導入口とテーパー状部分との間に開閉可能な弁を有し、枝分かれしたそれぞれの流路に開閉可能な弁を有する、請求項３記載のデバイス。
【請求項５】
請求項１〜４のいずれか１項記載のデバイスを備えたマイクロ流体デバイス。
【請求項６】
導入口と排出口を有し該導入口と排出口との間にテーパー状部分を有する流路に試料を流すことによって試料から荷電物質を濃縮及び／又は抽出する方法であって、該テーパー状部分が、排出口側の第１幅を有する部分、第１幅から次第に狭くなり第２幅となる部分及び第２幅から第３幅に広がる部分からなり、導入口から試料を導入し、第１幅から第２幅となる方向と逆方向に圧力流を生じさせる圧力を印加し、印加電圧によって荷電物質が第１幅から第２幅となる方向に移動するように電圧を印加することによって荷電物質をトラップし、その後電圧又は圧力を変化させることによりトラップされていた荷電物質を回収することを含む、該方法。
【請求項７】
導入口と排出口を有し該導入口と排出口との間にテーパー状部分を有する流路に試料を流すことによって試料から荷電物質を濃縮及び／又は抽出する方法であって、該テーパー状部分が、排出口側の第１幅を有する部分、第１幅から次第に狭くなり第２幅となる部分及び第２幅から第３幅に広がる部分からなり、導入口から試料を導入し、第１幅から第２幅となる方向に圧力流を生じさせる圧力を印加し、印加電圧によって荷電物質が第２幅から第１幅となる方向に移動するように電圧を印加することによって荷電物質をトラップし、その後電圧又は圧力を変化させることによりトラップされていた荷電物質を回収することを含む、該方法。
【請求項８】
第２幅に対する第１幅の比が３〜１００であり、第２幅に対する第３幅の比が３〜１００であり、第１幅から次第に狭くなり第２幅となる部分の流路長さの第２幅に対する比が１〜２００であり、第２幅から第３幅に広がる部分の流路長さの第２幅に対する比が０〜２０である請求項６又は７記載の方法。
【請求項９】
荷電物質をトラップした後荷電物質を回収する前に、洗浄液を導入することをさらに含む、請求項６〜８のいずれか１項記載の方法。
【請求項１０】
荷電物質が生体関連分子である、請求項６〜９のいずれか１項記載の方法。
【発明の詳細な説明】
【技術分野】
【０００１】
本発明は、荷電物質を含む試料から、目的とする荷電物質を濃縮及び／又は抽出する方法、及びそのためのデバイスに関する。
【背景技術】
【０００２】
現在、生化学および化学反応工程を微細な領域に集積化した分析システムはＭｉｃｒｏｓｃａｌｅ ｔｏｔａｌ ａｎａｌｙｓｉｓ ｓｙｓｔｅｍｓ（μＴＡＳ）と呼ばれ、その試みが数多く報告されている。これらは、ゲノム解析、ポストゲノム解析、薬剤スクリーニングおよびその他の臨床応用において極めて有効であると期待されている。
【０００３】
細胞やウイルスに由来する生体分子を分析するにあたっては、細胞膜やウィルス壁を破砕した試料溶液から、その後の反応や検出を阻害する物質を除外し、目的の生体分子を適当な溶媒中に抽出し適当な濃度とする前処理が必要になる。従って、反応工程を基材上に集積化する場合においても、基板上において、血液や細胞溶解物などの試料に含まれるＤＮＡ等の目的物質を濃縮及び／又は抽出すること、並びに目的物質を分散させる溶媒を交換することが要素技術として必須である。
【０００４】
また、ウイルス性の病気の診断においては、血液中のウイルスに対する抗体を検出する方法がとられているが、当該方法では十分ではなく誤診が生じるという問題があった。血液中に存在するウイルス由来ＤＮＡを検出することができれば、誤診を防止することができると考えられるが、血液中のウイルスは非常に微量であるため検出が困難であり、このような微量なＤＮＡを濃縮する技術が望まれていた。
【０００５】
生体分子の濃縮及び／又は抽出を行う方法として、遠心分離法や磁気ビーズを用いる方法などが知られている。しかし、反応工程を基板上に集積化する場合や、試料又は目的分子が非常に微量であるような場合、遠心分離法や磁気ビーズを用いる方法を採用することができない。
【０００６】
一方、微小流路中のテーパー状のチャネルに電場による力と圧力を逆向きに印加することにより、長鎖ＤＮＡがトラップされることが報告されている（特許文献１）。当該技術を用いて、溶液からの長鎖ＤＮＡの回収、洗浄及び溶媒交換が基板上で可能になると期待されている。しかし、細胞中のＤＮＡを遊離させ、様々な夾雑物の存在下で濃縮及び抽出することは困難であった。
【０００７】
【特許文献１】特開２００４−０００２１７号公報
【発明の開示】
【発明が解決しようとする課題】
【０００８】
本発明の課題は、夾雑物の存在下、目的の荷電物質を選択的に抽出又は濃縮する方法及びそのためのデバイスであって、マイクロ流体デバイス上で実施可能なものを提供することである。
【課題を解決するための手段】
【０００９】
本発明者らは、上記課題を解決すべく鋭意検討を行った結果、テーパー状の構造を有する部分を含む流路に試料溶液を流し、該テーパー状部分を挟んで電圧を印加するとともに、圧力流を生じさせることにより、試料中の荷電物質を選択的にトラップし、濃縮又は抽出できることを見いだし、本発明を完成させるに至った。
【００１０】
すなわち、本発明は以下の発明を包含する。
（１）導入口と排出口を有し、該導入口と排出口との間にテーパー状部分を有する流路からなる、荷電物質を濃縮及び／又は抽出するデバイスであって、該テーパー状部分を挟んで電圧及び圧力を印加可能であり、該テーパー状部分が、排出口側の第１幅を有する部分、第１幅から次第に狭くなり第２幅となる部分及び第２幅から第３幅に広がる部分からなる、該デバイス。
（２）第２幅に対する第１幅の比が３〜１００であり、第２幅に対する第３幅の比が３〜１００であり、第１幅から次第に狭くなり第２幅となる部分の流路長さの第２幅に対する比が１〜２００であり、第２幅から第３幅に広がる部分の流路長さの第２幅に対する比が０〜２０である（１）記載のデバイス。
（３）テーパー状部分と排出口との間に枝分かれしたさらなる流路を有する、（１）又は（２）記載のデバイス。
（４）導入口とテーパー状部分との間に開閉可能な弁を有し、枝分かれしたそれぞれの流路に開閉可能な弁を有する、（３）記載のデバイス。
（５）（１）〜（４）のいずれかに記載のデバイスを備えたマイクロ流体デバイス。
（６）導入口と排出口を有し該導入口と排出口との間にテーパー状部分を有する流路に試料を流すことによって試料から荷電物質を濃縮及び／又は抽出する方法であって、該テーパー状部分が、排出口側の第１幅を有する部分、第１幅から次第に狭くなり第２幅となる部分及び第２幅から第３幅に広がる部分からなり、導入口から試料を導入し、第１幅から第２幅となる方向と逆方向に圧力流を生じさせる圧力を印加し、印加電圧によって荷電物質が第１幅から第２幅となる方向に移動するように電圧を印加することによって荷電物質をトラップし、その後電圧又は圧力を変化させることによりトラップされていた荷電物質を回収することを含む、該方法。
（７）導入口と排出口を有し該導入口と排出口との間にテーパー状部分を有する流路に試料を流すことによって試料から荷電物質を濃縮及び／又は抽出する方法であって、該テーパー状部分が、排出口側の第１幅を有する部分、第１幅から次第に狭くなり第２幅となる部分及び第２幅から第３幅に広がる部分からなり、導入口から試料を導入し、第１幅から第２幅となる方向に圧力流を生じさせる圧力を印加し、印加電圧によって荷電物質が第２幅から第１幅となる方向に移動するように電圧を印加することによって荷電物質をトラップし、その後電圧又は圧力を変化させることによりトラップされていた荷電物質を回収することを含む、該方法。
（８）第２幅に対する第１幅の比が３〜１００であり、第２幅に対する第３幅の比が３〜１００であり、第１幅から次第に狭くなり第２幅となる部分の流路長さの第２幅に対する比が１〜２００であり、第２幅から第３幅に広がる部分の流路長さの第２幅に対する比が０〜２０である（６）又は（７）記載の方法。
（９）荷電物質をトラップした後荷電物質を回収する前に、洗浄液を導入することをさらに含む、（６）〜（８）のいずれかに記載の方法。
（１０）荷電物質が生体関連分子である、（６）〜（９）のいずれかに記載の方法。
【発明の効果】
【００１１】
本発明により、夾雑物の存在下、目的の荷電物質を選択的に濃縮及び／又は抽出する方法及びそのためのデバイスが提供される。また本発明の方法及びデバイスにより、マイクロ流体デバイス上で目的の荷電物質を濃縮及び／又は抽出すること、精製及び溶媒交換を行うことが可能になる。
【発明を実施するための最良の形態】
【００１２】
本発明は、導入口と排出口を有し、該導入口と排出口との間にテーパー状部分を有する流路からなる、荷電物質を濃縮及び／又は抽出するデバイスであって、該テーパー状部分を挟んで電圧及び圧力を印加可能であり、該テーパー状部分が、排出口側の第１幅を有する部分、第１幅から次第に狭くなり第２幅となる部分及び第２幅から第３幅に広がる部分からなる、該デバイスに関する。
【００１３】
本発明において、荷電物質とは溶液中で電荷を有する物質を意味し、特に制限されない。荷電物質としては、ＤＮＡ及びＲＮＡなどの核酸、ペプチド、オリゴペプチド、ポリペプチド及びタンパク質などの生体関連分子、細胞、細胞内の小胞体、ミトコンドリア、染色体並びにポリマーなどの化合物等が挙げられる。本発明は、生体関連分子、特に核酸の濃縮及び／又は抽出に好適に用いられる。
【００１４】
さらに本発明は、１００〜１０７塩基、好ましくは１０００〜１０６塩基、より好ましくは１０４〜１０６塩基の核酸、特にＤＮＡの濃縮及び／又は抽出に対し、特に好適に用いられる。また、ＤＮＡは二本鎖及び一本鎖のいずれもトラップ可能である。
【００１５】
試料としては、目的の荷電物質を含有しうるものであれば特に制限されない。対象となる荷電物質を含有しうる試料としては、生体関連分子を含有する試料、例えば、細胞破砕物、血液、血漿、汗、尿及び唾液などの体液、in vitroタンパク質合成液、ＰＣＲ産物等が挙げられ、特に、細胞破砕物が好ましく用いられる。本発明は、液状の試料を精製することなく、そのまま使用できる点で有利である。
【００１６】
細胞破砕物を試料として用いる場合、対象とする細胞を破砕する方法としては、当技術分野において通常用いられるものを使用でき、例えば、低張液破砕法、ＳＤＳ破砕法、界面活性剤破砕法、カオトロピック剤破砕法、超音波破砕法等が挙げられ、本発明においては、ＳＤＳ破砕法を用いるのが好ましい。
【００１７】
本発明の濃縮及び／又は抽出方法は、上記のような試料を流路に流し、導入口からテーパー状部分に向かって圧力流を生じさせる圧力を印加し、荷電物質がそれと反対方向に移動する方向に電圧を印加することによって、荷電物質をテーパー状部分にトラップし、その後電圧又は圧力を変化させることによりトラップされていた荷電物質を回収するものである。
【００１８】
本発明においては、導入口からテーパー状部分に向かって荷電物質が移動する方向に電圧を印加し、それと反対方向に圧力流を生じさせる圧力を印加してもよい。
【００１９】
電圧及び圧力を同時に印加することにより、テーパー状部分に目的の荷電物質のみが選択的にトラップされ、その他の夾雑物はトラップを通過する。そのため、試料を流し続けることにより、テーパー状部分に目的の荷電物質のみを蓄積させ、濃縮することができる。そして、電圧又は圧力を変化させることにより蓄積させた荷電物質を回収することができ、試料から目的の荷電物質を抽出することができる。また、トラップされていた荷電物質を試料溶液とは異なる溶媒中にとることにより、溶媒交換を実施することもできる。
【００２０】
ここで電圧または圧力を変化させるとは、電圧及び／又は圧力を解除する、電圧及び／又は圧力を強める、電圧及び／又は圧力を弱めることを包含し、それにより電圧と圧力のバランスを変化させることを意味する。
【００２１】
また、テーパー状部分に目的の荷電物質をトラップさせた状態で、試料にかえて洗浄液を流すことにより、トラップされている荷電物質を洗浄し、その後回収することもできる。洗浄液は、対象とする物質により適宜選択され、生体関連分子の場合は、水や生理食塩水を用いることができる。
【００２２】
例えば、ＤＮＡ及びペプチド等の生体関連分子、細胞小器官並びに細胞などは、水溶液中において、等電点と称される特定のｐＨ以外においては、プラス又はマイナスに荷電している。従って、試料溶液に電場をかけると、試料溶液中におけるこれらの物質の荷電と反対方向の電極に向かって物質が移動することになる。従って、試料溶液中の荷電状態に合わせて、電場によって排出口側から導入口側に、すなわち、第１幅から第２幅となる方向に物質が移動するように、テーパー状部分を挟んで電圧を印加する。
【００２３】
本発明におけるテーパー状部分は、排出口側の第１幅を有する部分、第１幅から次第に狭くなり第２幅となる部分及び第２幅から第３幅に広がる部分からなる。
【００２４】
第２幅に対する第１幅の比は、通常３〜１００、好ましくは１０〜１００、より好ましくは２０〜１００である。第２幅に対する第３幅の比は、通常３〜１００、好ましくは１０〜１００、より好ましくは２０〜１００である。第１幅から次第に狭くなり第２幅となる部分の流路長さの第２幅に対する比は、通常１〜２００、好ましくは２〜１００、より好ましくは５〜２０である。第２幅から第３幅に広がる部分の流路長さの第２幅に対する比は、通常０〜２００、好ましくは０〜１００、より好ましくは０〜２０である。
【００２５】
第１幅は、通常３〜５００μｍ、好ましくは５〜１００μｍ、より好ましくは１０〜５０μｍである。第２幅は、通常０．１〜５０μｍ、好ましくは０．５〜５μｍ、より好ましくは１〜５μｍである。第３幅は、通常３〜５００μｍ、好ましくは５〜１００μｍ、より好ましくは１０〜５０μｍである。
【００２６】
テーパー状部分以外の流路の形状は特に制限されないが、一定幅の流路であることが好ましく、その流路幅は、通常３〜５００μｍ、好ましくは５〜１００μｍ、より好ましくは１０〜５０μｍである。
【００２７】
本発明の一態様においては、第１幅と第３幅は等しく、第１幅及び第３幅はその他の部分の流路幅と等しい。
【００２８】
上記のようなテーパー部分及びその他の部分における流路の形状は、流路の軸方向と平行ないずれかの断面において、流路幅が上記のような数値又は比を有する限り、本発明の範囲に包含される。本発明において、流路は通常、チャネル構造又は管構造を有するが、管構造を有するのが好ましい。管断面が円形の管構造の場合、流路幅とは流路断面の直径を意味し、断面が四角形の管構造の場合は、その縦又は横の長さを意味し、断面が四角形のチャネル構造の場合は、チャネルの幅を意味する。断面が四角形のチャネル構造の場合、その深さは一定で、通常０．３〜３００μｍ、好ましくは０．５〜５０μｍ、より好ましくは１〜２０μｍであり、その幅が上記の流路幅の関係を満たすことになる。また、断面が四角形の管構造の場合も、縦又は横の長さが一定でチャネルにおける上記深さと同じ範囲の値を有するのが好ましく、もう一方の長さが上記の流路幅の関係を満たすことになる。
【００２９】
本発明のデバイスにおける流路は、当技術分野において通常用いられる方法によって製造することができる。例えば、基板に流路パターンを形成し、これに上板を圧着させることにより作成することができる。この場合に、基板上における流路は、例えば、光リソグラフィー法を用いて流路パターンを形成し、エッチングすることにより形成することができる。
【００３０】
基板としては、当技術分野において通常用いられるものを使用でき、例えば、石英、シリコン、サファイア、ガラス並びにポリエチレンテレフタレート、ポリプロピレン、ポリカーボネート、ポリスチレン、メチルペンテンコポリマー、ポリジメチルシロキサン、エポキシ樹脂、アクリル樹脂などのプラスチック材料を使用できる。プラスチック材料を用いると安価に製造できるため、使い捨てのチップ等に使用する場合に好ましい。
本発明においては、特に、ポリジメチルシロキサン、石英を使用するのが好ましい。
【００３１】
図1に、本発明における流路のテーパー状部分の態様を示す。これらの態様では、流路は、断面が四角形かつ一定深さのチャネル構造又は管構造を有する。(a)は、第２幅から第３幅に広がる部分の流路長さがゼロ、すなわち、第２幅からすぐに第３幅になる態様を表す。101は流路の第１幅を表し、102は流路の第２幅を表し、103は流路の第３幅を示す。104は、第１幅から次第に狭くなり第２幅となる部分の流路長さを表し、105は、第２幅から第３幅に広がる部分の流路長さを表す。106は排出口につながり、107は導入口につながる。導入口から圧力流により107部分に流れてきた荷電物質は、電圧を印加することにより第２幅付近にトラップされる。
【００３２】
本発明者らは、テーパー状部分の形状とトラップされる荷電物質のサイズとの間に相関関係があることを見いだした。すなわち、サイズの大きな物質の方がサイズの小さい物質よりも優先的にトラップされることを見いだした。従って、上記のテーパー状部分の幅及び長さを調節することにより、所望のサイズの荷電物質をトラップし、濃縮及び／又は抽出することができる。
【００３３】
荷電分子がＤＮＡである場合、長いＤＮＡの方が短いＤＮＡよりも優先的にトラップされる。より具体的には、トラップされるＤＮＡの塩基長をＬ（塩基）とし、第２幅をＸ（μｍ）とすると、ＬとＸは以下の関係を有すると考えられる。
Ｌ＞０．０１Ｘ
【００３４】
また、本発明においては、大きい圧力を印加した場合には、大きい電圧を印加することにより荷電物質がトラップされることが明らかになった。従って、圧力を小さくすることにより、低い印加電圧でも荷電物質をトラップでき、また、印加電圧を低くすることにより、小さな圧力で荷電物質をトラップできる。圧力と、電圧をともに大きくしたほうがトラップされやすい。逆に小さくすると、あるところ以下ではトラップされなくなる。
【００３５】
本発明において、テーパー状部分を挟んで印加する電圧Ｖは、通常１〜１０００Ｖ、好ましくは５〜３００Ｖ、より好ましくは１０〜１００Ｖである。また、圧力流を生じさせるためにテーパー状部分を挟んで印加する圧力Ｐは、通常５〜１０００００Ｐａ、好ましくは１００〜１００００Ｐａ、より好ましくは１０００〜６０００Ｐａである。通常１０〜２００Ｖの電圧で、５００〜１００００Ｐａの圧力を印加するのが好ましい。
【００３６】
本発明において、上記のテーパー状部分は、流路において複数を直列及び／又は並列に連結させてもよい。並列に連結させる場合は、流路が分岐することになる。複数のテーパー状部分を、直列又は並列に連結させることにより、荷電物質のトラップ量を増加させることができ、荷電物質の抽出、濃縮又は洗浄等を効率的に実施することができる。
【００３７】
また、荷電物質のサイズや形状による選択的トラップでは、直列に連結することで、選択性を鋭くしたり、鈍くしたり、コントロールすることができる。さらには、一つのトラップではサイズによる差がでなくても、これを連結することにより、差を拡大することができる。
【００３８】
図２に、テーパー状部分を直列及び並列に複数に連結した態様を示す。(b)はテーパー状部分の拡大図である。201はテーパー状部分の１つを表し、202は４つのテーパー状部分が並列に連結した幅を表し、通常、５〜１０００μｍ、好ましくは２０〜４００μｍである。207は、テーパー状部分が直列に連結した長さを表し、通常、０．１〜４０ｍｍ、好ましくは０．５〜３ｍｍである。206は導入口につながり、205は排出口につながる。204はテーパー状部分と排出口の間の枝分かれ流路を示す。
【００３９】
本発明の一実施態様では、テーパー状部分と排出口との間に枝分かれしたさらなる流路が存在する。テーパー状部分の下流に少なくとも２つの流路を設けることにより、試料中の目的とする荷電物質とその他の夾雑物を別の流路に取り込み、目的物質を分別して回収することができる。該枝分かれ流路は、図２において204として表される。枝分かれ流路は、１つに限られず、複数を設けることもできる。
【００４０】
例えば、荷電物質をテーパー状部分にトラップしている間、目的物質を取り込む方の流路を閉じ、排出口を開くことによって、目的物質以外の夾雑物を排出口から廃棄する。そして、目的物質がテーパー状部分に蓄積・濃縮された後、排出口を閉じるとともに目的物質を取り込む方の流路を開き、その後電圧又は圧力を変化させることにより、目的物質のみを回収することができる。このような態様においては、目的物質を取り込む方の流路にリザーバー部分を設けて、目的物質を該リザーバー内に回収することが好ましい。
【００４１】
また、目的物質をトラップした後、電圧又は圧力を変化させて目的物質を取り込む前に、排出口を開き目的物質を取り込む方の流路を閉じたまま、溶媒や緩衝液を流すことにより洗浄を行い、その後排出口を閉じるとともに目的物質を取り込む方の流路を開き、目的物質を回収することもできる。
【００４２】
上記のような態様においては、導入口とテーパー状部分との間、及び枝分かれしたそれぞれの流路に開閉可能な弁を設けることにより、流路の開閉を実施することができる。
【００４３】
開閉可能な弁としては、当技術分野において通常用いられるものを使用できる。例えば、３層構造をしており、１番下の層がＤＮＡの溶液が流れる流路、２番目の層が厚さ４０μｍ〜６０μｍの中間膜である。そして３層目は空気が通る流路となっており、全てはＰＤＭＳで作成される。機構としては３層目の空気の流路を減圧することにより、中間膜を引き上げ、１層目の流路中の溶液が流れる仕組みとなる弁を用いられる。
【００４４】
枝分かれした流路及び弁を有する態様を図３に示す。301はテーパー状部分を示し、302〜304は弁を示し、305は導入口につながり、306は排出口につながり、307は枝分かれ流路を示す。この態様にいて弁302〜304は空気圧により開閉するシステムを採用しており、それぞれの弁につながる管は、空気を排出及び導入するための管である。
【００４５】
まず、テーパー状部分を挟んで電圧と圧力を印加し、弁302と304を開けた状態で試料を流し、目的の荷電物質をテーパー状部分301にトラップする。荷電物質が濃縮されたら、所望により洗浄液を305から流し、余分な夾雑物を洗い流す。その後、弁304を閉じて弁303を開け、電圧又は圧力を変化させると、トラップされていた荷電物質が圧力流により流路307の方に流れ、回収することができる。
【００４６】
本発明はまた、本発明の荷電物質を濃縮及び／又は抽出するためのデバイスを備えたマイクロ流体デバイスに関する。マイクロ流体デバイスは、内部に細い毛細管状の流路を有し、流路を合成や分析の場として用いるデバイスであって、マイクロ・フルイディック・デバイス、ラボ・オン・チップ、またはマイクロ・トータル・アナリティカル・システム（μＴＡＳ）などとも呼ばれる。マイクロ流体デバイスは、化学、生化学、物理化学用などの微小反応デバイス（マイクロ・リアクター）や、集積型ＤＮＡ分析デバイス、電気泳動デバイス、クロマトグラフィーデバイスなどの微小分析デバイスとして使用される。
【００４７】
マイクロ流体デバイスは、シリコン、石英、ガラス、有機ポリマーなどの一部材の表面にエッチング法などにより細い溝を形成し、この溝形成面である表面にガラス板などの別部材を、ネジ止め、接着、融着（熔着）などにより固定又は固着させて流路を外部から仕切って形成する方法が知られている。
【実施例】
【００４８】
（実施例１）
Ｊｕｒｋａｔ細胞（５×１０５個）に低張液（０．０７５Ｍ ＫＣｌ）を加えた後、純水を１ｍｌ加え、細胞を破砕させた。破砕液中のＤＮＡを蛍光色素ＹＯＹＯ１で染色し、ＴＢＥを加えた。０．５ＴＢＥ緩衝液中において、ＤＮＡの最終濃度が１．６×１０６個／ｍｌとなるように調製した。得られた調製液を、ＰＤＭＳ（ポリジメチルシロキサン）で作成した微小流路に流し、圧力と電圧を印加し、蛍光顕微鏡で観察した。
【００４９】
本実施例では、図１(a)の形状を有する流路で、101が１００μｍ、102が１０μｍ、103が１００μｍ、104が１００μｍ、流路深さが１０μｍのものを使用した。電場による力を矢印108の方向に印可し、圧力を矢印109の方向に印加した。
【００５０】
細胞破砕液を流し、圧力と電圧を印加したところ、ＤＮＡのトラップ及び濃縮を確認することができた。また、細胞破砕液に含まれる夾雑物はトラップされずに流れていくことが確認された。図４に、一定の圧力下でＤＮＡのトラップが観察された電圧の条件を示す。破線で囲まれている領域はトラップが観察された領域を示している。図５に、各電圧及び圧力を印加したときに、蛍光顕微鏡で観察された結果を示す。
【００５１】
（実施例２）ＳＤＳ破砕法による結果
Ｊｕｒｋａｔ細胞（５×１０５個）に、０．０１％ＳＤＳ及び２０ｍＭ ＮａＣｌを加えた後、細胞を破砕させた。破砕液中のＤＮＡを蛍光色素ＹＯＹＯ１で染色し、ＴＢＥを加えた。０．５ＴＢＥ緩衝液中において、ＤＮＡの最終濃度が１．６×１０６個／ｍｌとなるように調製した。得られた調製液を、ＰＤＭＳ（ポリジメチルシロキサン）で作成した実施例１と同じ微小流路に流し、圧力と電場による力を矢印の方向に印加し、蛍光顕微鏡で観察した。
【００５２】
細胞破砕液を流し、圧力と電圧を印加したところ、ＤＮＡのトラップ及び濃縮を確認することができた。また、細胞破砕液に含まれる夾雑物はトラップされずに流れていくことが確認された。図６に、一定の圧力下でＤＮＡのトラップが観察された電圧の条件を示す。破線で囲まれている領域はトラップ領域を示している。図７に、各電圧及び圧力を印加したときに、蛍光顕微鏡で観察された結果を示す。(a)は電圧６０Ｖ、圧力２６００Ｐａのとき、(b)は電圧２５Ｖ、圧力３００Ｐａのときの結果である。
【００５３】
実施例１及び２の結果より、細胞破砕液を用いても大きい圧力を印加した場合には、大きい電圧を印加することによりＤＮＡがトラップされることがわかった。従って、圧力流を小さくすることにより、低い印加電圧でもＤＮＡをトラップできること、また、印加電圧を低くすることにより、小さな圧力流でＤＮＡをトラップできることが明らかとなった。
【００５４】
（実施例３）
図２において104及び101が２５μｍであり、流路深さが１０μｍであり、207が３cmであり、202が１００μｍである、テーパー状部分を直列及び並列に連結した流路に、以下の表１に示す組成を有する溶液を流し、矢印の方向に電場による力及び圧力流が生じるように、電圧（１００Ｖ）及び圧力（２５００Ｐａ）を印加した。
【００５５】
【表１】
2005278418.tif 000003
【００５６】
０〜１５秒後における蛍光標識したＤＮＡのトラップの様子を図８に示す。以上から、テーパー状部分を直列及び並列に連結することにより、ＤＮＡを効率的にトラップできることが明らかになった。
【００５７】
（実施例４）サイズ依存性
実施例３において、長さが異なる3種類のＤＮＡ、即ちＴ４（１６６ｋｂｐ）、λ（４８ｋｂｐ）、Ｍ１３ｍｐ（７．２ｋｂｐ）を流した時の、1段あたりのトラップ確率を図９に示す。圧力は２５００Ｐａ、電圧は０〜２００Ｖを印加した。このとき、電圧による力と、圧力による力は、電圧１００Ｖ付近でほぼつりあい、図９においてはこのつりあいのポイントを１となるように、電圧を規格化してプロットした。これより、４８ｋｂｐ以上の大きさのＤＮＡは、最大０．７のトラップ確率を示したが、およそ７．２ｋｂｐのＤＮＡは同じ条件では殆ど、トラップされなかった。これは、トラップ確率に明確なサイズ依存性があることを示している。このことは、本トラップがある大きさの範囲のＤＮＡのみを選別するような用途に利用できることを示している。
【図面の簡単な説明】
【００５８】
【図１】本発明における流路のテーパー状部分の態様を示す。
【図２】図２に、テーパー状部分の複数を直列及び並列に連結した態様を示す。
【図３】枝分かれした流路及び弁を有する態様を示す
【図４】実施例１で、一定の圧力下でＤＮＡのトラップが観察された電圧の条件を示す。
【図５】実施例１で、各電圧及び圧力を印加したときに、蛍光顕微鏡で観察された結果を示す。
【図６】実施例２で、一定の圧力下でＤＮＡのトラップが観察された電圧の条件を示す。
【図７】実施例２で、各電圧及び圧力を印加したときに、蛍光顕微鏡で観察された結果を示す。
【図８】実施例３における０〜１５秒後における蛍光標識したＤＮＡのトラップの様子を示す。
【図９】実施例４におけるＤＮＡのトラップ確率のサイズ依存性を示す。
【符号の説明】
【００５９】
101・・・流路テーパー状部分の第１幅、102・・・流路テーパー状部分の第２幅、103・・・流路テーパー状部分の第３幅、104・・・第１幅から次第に狭くなり第２幅となる部分の流路長さ、105・・・第２幅から第３幅に広がる部分の流路長さ、
201・・・テーパー状部分、202・・・テーパー状部分が並列に連結した幅、207・・・テーパー状部分が直列に連結した長さ、204・・・枝分かれ流路、
301・・・テーパー状部分、302〜304・・・弁、307・・・枝分かれ流路
【図１】
2005278418.tif 000004
【図２】
2005278418.tif 000005
【図３】
2005278418.tif 000006
【図４】
2005278418.tif 000007
【図５】
2005278418.tif 000008
【図６】
2005278418.tif 000009
【図７】
2005278418.tif 000010
【図８】
2005278418.tif 000011
【図９】
2005278418.tif 000012